Podtech/llm-jp-corpus-v4-ja_patent huggingface dataset:
(57)【要約】      （修正有）【課題】気中絶縁破壊において発生する音を抑制する装置を提供する。【解決手段】絶縁破壊現象で生じる音波を電気絶縁破壊音抑制装置を放電路に直列に接続し、その電流を大地に流すことによって音波を抑制することが可能となった。【選択図】図１
2010071968.tif 000002
【特許請求の範囲】
【請求項１】
金属電極間の絶縁破壊現象に伴って流れる放電電流を流す導電性金属材料に電気絶縁破壊音抑制装置を直列接続して音波を抑制し、かつ放電電流を大地に流す装置。
【発明の詳細な説明】
【技術分野】（１）
本発明は気中絶縁破壊において発生する音を抑制する装置に関する。
【背景技術】（２）
近年の環境問題の増加により、気中における絶縁破壊現象のときに発生する音波が周囲に影響を及ぼしていることが課題となっている。しかし、この対策は音波を抑制するために、機器の置かれている室内から漏洩音波を抑制する防音対策が主で発生源の抑制に至っていない。さらに、遮音をすることは音の周波数特性（大きさ、発生周波数など）よって経費が増大する。
【発明の開示】
（３）
【発明が解決しようとする課題】
前記の例として、高電圧研究施設に高電圧インパルス発生装置、直流電圧発生装置、開閉インパルス発生装置などがあり、それらを用いて供試体が気中ギャップの絶縁破壊試験をする場合、その電極間隔が長くなるのに伴い印加電圧が上昇し、絶縁破壊現象に発生する音波も大きくなる。通常、高電位側の電極を発生器に接続し、アース側の電極をアースにとって試験を行っている。このアース側の電極に直列に誘導リアクタンス（コイル）の一端子接続し、その一方をアースに接続することにより、発生する音波を抑制する装置である。
【発明を実施するための最良の形態】
【実施例】（４）
絶縁破壊試験回路を図１に示す。
電気絶縁破壊音抑制装置（ＬＣＳ）および実験概観図を図２に示す。
これらの図１から判るように、電気絶縁破壊音抑制装置（ＬＣＳ）は気中絶縁破壊試験の接地側電極に直列に接続される。
集音装置で検出した絶縁破壊音特性の比較（電気絶縁破壊音抑制装置の有無）
電極間距離２０ｍｍにおける絶縁破壊の音波が９０％の抑制されていることが判明できる。
【産業上の利用可能性】この電気絶縁破壊音抑制装置を既存の高電圧絶縁破壊装置に用いることにより音波を抑制することができるため、環境問題の緩和に期待できる。
【図面の簡単な説明】図２から判るように、電気絶縁破壊音抑制装置（ＬＣＳ）、サンプラ、ディジタルオシロスコープ、平滑コンデンサー、球対球電極などで実験が行われたことがわかる。
【図１】
2010071968.tif 000003
【図２】
2010071968.tif 000004
【図３】
2010071968.tif 000005
【手続補正書】
【提出日】平成20年12月16日(2008.12.16)
【手続補正１】
【補正対象書類名】明細書
【補正対象項目名】全文
【補正方法】変更
【補正の内容】
【発明の詳細な説明】
【技術分野】
【０００１】  （１）本発明は気中絶縁破壊において発生する音を抑制する装置に関する。
【背景技術】
【０００２】  （２）近年の環境問題の増加により、気中における絶縁破壊現象のときに発生する音波が周囲に影響を及ぼしていることが課題となっている。しかし、この対策は音波を抑制するために、機器の置かれている室内から漏洩音波を抑制する防音対策が主で発生源の抑制に至っていない。さらに、遮音をすることは音の周波数特性（大きさ、発生周波数など）よって経費が増大する。
【発明の開示】
【発明が解決しようとする課題】
【０００３】  前記の例として、高電圧研究施設に高電圧インパルス発生装置、直流電圧発生装置、開閉インパルス発生装置などがあり、それらを用いて供試体が気中ギャップの絶縁破壊試験をする場合、その電極間隔が長くなるのに伴い印加電圧が上昇し、絶縁破壊現象に発生する音波も大きくなる。通常、高電位側の電極を発生器に接続し、アース側の電極をアースにとって試験を行っている。このアース側の電極に直列に誘導リアクタンス（コイル）の一端子接続し、その一方をアースに接続することにより、発生する音波を抑制する装置である。
【発明を実施するための最良の形態】
【実施例】
【０００４】  （４）絶縁破壊試験回路を図１に示す。電気絶縁破壊音抑制装置（ＬＣＳ）および実験概観図を図２に示す。これらの図１から判るように、電気絶縁破壊音抑制装置（ＬＣＳ）は気中絶縁破壊試験の接地側電極に直列に接続される。集音装置で検出した絶縁破壊音特性の比較（電気絶縁破壊音抑制装置の有無）特性の図３において電極間距離２０ｍｍにおける絶縁破壊の音波が９０％の抑制されていることが判明できる
【産業上の利用可能性】
【０００５】  この電気絶縁破壊音抑制装置を既存の高電圧絶縁破壊装置に用いることにより音波を抑制することができるため、環境問題の緩和に期待できる。
【図面の簡単な説明】
【０００６】
【図１】電気絶縁破壊音抑制装置を試験した実験回路を示す。
【図２】電気絶縁破壊音抑制装置（ＬＣＳ）、実験概観図および実験方法である。
【図３】集音装置で検出した絶縁破壊音特性の比較（電気絶縁破壊音抑制装置の有無）特性例である。（図１の実験回路構成で球対球電極間の気中絶縁破壊を発生させ、その破壊音を集音装置で集音し、音の強度とその周波数を記録する。接地側の球電極に電気絶縁破壊音抑制装置（ＬＣＳ）が接続された場合とＬＣＳがない場合との比較を行う。図２は実験概観図と実験方法（含む条件）で、図３は球対球電極間距離２０ｍｍにおける放電音強度と周波数のピークホールド特性の例である。）
(57)【要約】      （修正有）【課題】都市型の集中豪雨における洪水や、ヒートアイランド現象による夏の猛暑対策を提供する。また、安い建設費で短期間の工事で安全を提供する。【解決手段】都市型の洪水は、降った雨水が土中に浸み込まずに一気にどぶや排水路、河川に集中することによりひきおこされるので、貯水槽をもうけて土中に浸透させる。【選択図】なし【特許請求の範囲】
【請求項１】
地下に設置し、雨水などを貯水しながら浸透させる貯水槽。
【発明の詳細な説明】
【技術分野】
【０００１】この発明は雨水をただちに川に放水するのではなく地下に貯水し、浸透させる貯水槽に関するものである。
【背景技術】
【０００２】従来は雨水をどぶや排水路などで川に放水するだけであった。
【発明の開示】
【発明が解決しようとする課題】
【０００３】これは次のような欠点があった。
（イ）従来の排水路は雨水をただちに川に放水するだけなので、都市型の集中豪雨においてはたびたび洪水をひきおこしており、地下鉄や地下街への被害も現実みをおびている。
（ロ）都市部においては路面がほとんどアスファルトやコンクリートで覆われており、露出した地面が少ないため、雨水が地中にしみこみにくくなっている。本発明はこれを解決する手段として有効である。
【課題を解決するための手段】
【０００４】国や都道府県市町村が買収する必要がない、都市全体の面積のおよそ３０％強を占めるといわれる道路の地下部分や公共のグラウンドや公園などだけでも、雨水を浸透させる貯水槽をもうけると、費用が安あがりな洪水対策になりえる。
【発明の効果】
【０００５】（イ）排水路化した都市型の河川に雨水を集中させないことで洪水をふせぐ。
（ロ）荒川を例にとると、荒川流域には都市部が発達しており、降った雨水のほとんどは地下に浸透することなく河川に流れ込んでいると思われるので、流域一帯の都市が貯水槽をもうけて、荒川への直接の流入量をへらせば台風などによる洪水対策になると思われる。
（ハ）地下水のくみ上げにより地盤沈下が問題になっている所では、その対策として暗染貯水槽をもうけて、暗染排水の技術を真逆に利用し水を地下深部に浸透させることである程度の解決策になると思われる。
（ニ）東京などの夏においては、地中に水分をたっぷり含ませることにより、草花樹木の立ち枯れを防ぐことができ、さらに緑地を増やすことにより、ヒートアイランド現象の抑制につながる効果が期待できる。
（ホ）河川の流量については、土中よりゆっくりと浸み出してきた水により、ふだんからの流量が増え、清流化が期待できる。
（ヘ）また想定降水量により暗染貯水槽の大小の設計が可能なこと。
(57)【要約】【課題】洋式トイレに於いて成人男性が立って小水をする際に本発明の的を狙う事により小水の飛沫によって便器周辺の不衛生を軽減し、精神衛生上良好な又、人々が清潔にトイレを使用出来る状態を保ち、男児が立って小水をする際の標的、又、自立心の向上を計り、トイレトレーニングにもなる洋式トイレ専用の的を提供する。【解決手段】角度を調節可能な針金２の上部に受け具１を設け、その針金の下部に小水が当たると回転をする内的５を装着した外的３を設けた事を特徴とする。【選択図】図１
2010071064.tif 000002
【特許請求の範囲】
【請求項１】
軽量金属の棒の先に様々なデザインの回転する的を取り付けた洋式トイレ用品に関するものである。
【発明の詳細な説明】
【技術分野】
【０００１】この発明は錆びにくい金属性の棒の先に小水を狙い当てる回転する的を取り付けた洋式トイレ専用の用品に関するものである。
【背景技術】
【０００２】従来、洋式トイレにおいて男性成人や小児が立って小水をする際定めて小水をするポイントは存在しなかった。
【発明の開示】
【発明が解決しようとする課題】
【０００３】これには次のような問題があった。マンションや一般家屋、敷地の狭い店舗等では、男性用の縦型のトイレが設置されておらず、男女兼用の所も少なくない。従って男性が座位の洋式トイレを立ったまま小水をする事が基本である。その際、小水を狙い定めるポイントが無いため、便器周辺に撒散らし大変不衛生で精神衛生上も悪影響を与え、清掃する側も大変であった。本発明はこれらの問題を解決するためになされたものである。
【課題を解決するための手段】
【０００４】小児が立って小水をする際、周囲に小水が飛び散らない様、便器内の的確な位置にコントロールしやすい様に小水が当たった部分が回転し楽しめる的を付けた。又、成人が立って小水をする際、心理的に狙いを定めたくなる様なデザインの的を便器の的確な位置に付け、小水を分散させない様にしてそれを解決した。
【発明の効果】
【０００５】本発明はこの様な構成により、小児の自立心の向上、そして成人が立って小水をする際の標的となり、その結果、便器の周囲に小水を撒散らす確立が極めて低くなり、非常に清潔でトイレ使用者にも、その場を提供する側にも精神衛生上良い効果がある。
【発明を実施するための最良の形態】
【０００６】以下、本発明の実施例について説明する。
洋式便器の内縁に防水性の粘着材を用いて錆びない金属性の受け具▲１▼を接着する。そして、可動性があり角度を調節可能な針金▲２▼を受け具▲１▼と外的▲３▼に接合する。
外的▲３▼は、リングの中央内側部の左右に穴を開け、▲４▼そこに入るツメを付けた内的▲５▼をはめる。
本発明は、以上のような構造で、小水が当たると、内的が回転するものとする。
【図面の簡単な説明】
【０００７】
【図１】本発明の正面図である。
【図２】本発明の斜視図である。
【図３】本発明の一部を切り欠いた側面図である。
【符号の説明】
【０００８】１  受け具
２  針金
３  外的
４  ツメ穴
５  内的
【図１】
2010071064.tif 000003
【図２】
2010071064.tif 000004
【図３】
2010071064.tif 000005
(57)【要約】【課題】  支柱を地面に突き立てるときに用いる支柱立て補助具を提供する。【解決手段】  筒の外周壁に支柱を挿入する割れ目を形成した本体と、支柱を固定する止め具を設けたことを特徴とする支柱立て補助具。【選択図】図１
2010071061.tif 000002
【特許請求の範囲】
【請求項１】
筒の円周壁に支柱を挿入する割れ目を形成した本体と、支柱を固定する止め具を設けたことを特徴とする支柱立て補助具。
【発明の詳細な説明】
【技術分野】
【０００１】  本発明は、支柱を地面に突き立てるときに用いる支柱立て補助具に関する。
【背景技術】
【０００２】  従来、細長い支柱を地面に突き立てるとき支柱を直接掴んで立てていた。【０００３】
【特許文献】  特開平１０−９８９５３号公報
【発明の開示】
【発明が解決しようとする課題】
【０００４】  そのために、次のような問題点があった。
（イ）細長い支柱を直接掴んで突き立てるとき、地面が少し固い所では力を入れにくく又      打ち込みができず不安定な立て方になった。
（ロ）特に老人や力の弱い人には大変困難で労力と時間に無駄があった
本発明は、これらの問題点を解決するためになされたものである。
【問題を解決するための手段】
【０００５】  筒の外周壁に支柱を挿入する割れ目を形成した本体と、支柱を固定する止め具を設けたことを特徴とする支柱立て補助具。
【発明の効果】
【０００６】（イ）握り部分が太くなるので握りやすく、突き立てるために力を入れやすい。
（ロ）支柱に簡単かつ迅速に取り付け取り外しができる。
（ハ）老人や力の弱い人でも容易に使用できる。
（ニ）アウトドアーなどにも利用できる。
（ホ）構造が簡単で製造コストは安くできる。
【発明を実施するための最良の形態】
【０００７】  以下、本発明の実施について説明する。
筒（１）の外周壁に支柱（２）を挿入する割れ目（３）を形成した本体と、支柱（２）を固定する止め具（４）を設け、外周壁に滑り止め（５）を設ける。
本発明は以上のような構成で、これを使用するときは、支柱（２）を筒（１）の外周壁にある割れ目（３）から筒（１）の中に挿入し、止め具（４）で支柱（２）を固定する。
滑り止め（５））を握り支柱を地面に突き立てる。
【図面の簡単な説明】
【０００８】
【図１】  本発明を実施するための斜視図
【図２】  本発明を実施するための側面図
【図３】  本発明を実施するための使用実施例
【符号の説明】
【０００９】１  筒
２  支柱
３  割れ目
４  止め具
５  滑り止め
【図１】
2010071061.tif 000003
【図２】
2010071061.tif 000004
【図３】
2010071061.tif 000005
(57)【要約】【課題】  現在、太陽電池が普及しつつあるが低コストの製品がない。特に建築物の窓などの開口部には太陽光が射し込むが、現状ではカーテンやブラインドで遮るだけであり、エネルギーを取り出すという考え方が一般化していない。また、横型の太陽電池ブラインドも考案されてはいるがコストが高く、構造も複雑で、取り付け取り外し修理も複雑で広くは普及していない。【解決手段】  一般家庭やオフィス、工場でも簡単に使える様にするため、太陽電池を縦型スラット（小型の太陽電池を組み合わせてもよい。）とし、カーテンレールや縦型ブラインドのフックに太陽電池を引っ掛けるだけで簡単に取り付けが可能な構造とする。【選択図】図３
2010071062.tif 000002
【特許請求の範囲】
【請求項１】
太陽電池を縦型のスラットとし、レールに吊り下げることにより縦型ブラインドの機能とともに、発電能力を保持するブラインド。
【発明の詳細な説明】
【技術分野】
【０００１】  本発明は、太陽電池を使ったブラインドに関するものである。
【背景技術】
【０００２】  従来の太陽電池を使ったブラインドは、横型である。
【発明の開示】
【発明が解決しようとする課題】
【０００３】  建物の開口部に取付けたレールに、縦型スラットの太陽電池を取り付けることにより太陽光を電力に変換し、利用することを目的とするものである。
【発明が解決するための手段】
【０００４】  本発明は、縦型ブラインドのスラットを太陽電池とし、一般的なレールまたは専用レールに縦型の太陽電池パネルのスラットを吊るすことが可能な構造とする。
それによって横型の太陽電池ブラインドのような煩雑な構造を避け、また既設又は新設のカーテンレールや縦型ブラインドのレールを利用して簡易に太陽電池パネルを設置し、発電を行うとともに入射光の調節や遮熱の機能を持たせることが可能である。
【０００５】  太陽電池のスラットは、取付け部品などを介し電力線と簡単に結線し、電力を取り出せる構造とする。
【０００６】  発電効率を上げるため、太陽光に対して太陽電池を自動で向けることも可能である。
【発明の効果】
【０００７】  大面積に簡単に太陽電池を取り付けることが出来るため、太陽電池の普及を推進することが出来る。日常生活における電力需要の一端をより身近で、クリーンなエネルギーで賄えるようになり、エネルギーの低コスト化と省エネ化を推進させる。
【０００８】  横型の太陽電池ブラインドのような煩雑な構造を排することにより、既設のレールの利用も可能とし太陽電池パネルの設置コストの低減を図ることが出来る。
【０００９】  縦型ブラインドの場合、破損したスラットを新品のスラットに交換するだけで良い。
（横型ブラインドの場合、スラットの太陽電池パネルの一部が破損した場合、ブラインド全体の取り外しや昇降コードの取り外しなど非常に手間がかかる。）
【００１０】  縦型ブランドは水平方向に回転するため、光の入射角方向に自在にスラット面を向けることが出来る。太陽電池のパネルによる発電が一層効率的に行われるようスラット角度を自動で調整することも可能である。
【００１１】  電力線はスラット間に渡した電線でも、レール内の電導物質でも構わない。
【００１２】  太陽電池を吊るすフックの形状は自由である。
【００１３】  スラット上部で電力線を結線するため、いたずらなどによる破損の可能性が少なく安全性が高い。（状況に応じて電力線をスラット下部にすることも可能である。）
【００１４】  レールとフックの対荷重強度を強化することにより、スラットの大型化、延長化で大開口部でも取り付けが可能である。
【００１５】  電力線は、状況に応じてスラットの角度調整の機能を兼ねる。
【図面の簡単な説明】
【００１６】
【図１】スラット単体の構造とレールへの取り付け（正面図）。
【図２】スラット単体の構造とレールへの取り付け（側面図）。
【図３】組立図（斜視図）
【符号の説明】
【００１７】１  レール
２  ランナー
３  スラットフック
４  スラットの保持部品（スラットハンガー）
５  太陽電池パネルのスラット
６  電力線
【図１】
2010071062.tif 000003
【図２】
2010071062.tif 000004
【図３】
2010071062.tif 000005
(57)【要約】【課題】  本発明の課題は平板上でなおかつ薄板材の処理物をバレルによる電気めっき加工する際に、処理物同士の重なりによるめっき未着を減少することのできる、電気めっきバレル用のリード線を提供することである。【解決手段】  リード線の接点部側面に襞状の構造を有することで、処理物の重なり部分に対し襞が引っかかり、重なりを引きはがす効果を持つ。また、処理物との接触面積を保持するため、接点部先端には従来のリード線同様の構造を有することで電気抵抗を低く維持することを特徴とする。【選択図】図１
2010024541.tif 000002
【特許請求の範囲】
【請求項１】
電気バレルめっき方式でのリード線において、接点部側面に襞状の構造を有することを特徴とするめっきバレル用リード線。
【発明の詳細な説明】
【技術分野】
【０００１】  本発明は、バレル方式による電気めっき処理に用いるリード線に関するものである。
【背景技術】
【０００２】  小型の被処理物に対し電気めっきを施す際には、被処理物をバレルに入れた状態で電解めっき液中に浸漬し、陽極をめっき液中に、陰極を被処理物に接触させて通電する。バレルは多孔板により構成された正多角柱であり、孔からめっき液がバレル内部に入る。めっき液中において陰極との接触のある被処理物の表面に対してめっきが施される。バレルは回転ないし揺動され、これにより内部の被処理物は攪拌される。これにより電極から通電のある被処理物は常に入れ替わり、被処理物全体に処理が施される。
【発明の開示】
【発明が解決しようとする課題】
【０００３】  しかし、被処理物が薄板材、特に平板形状である場合には、処理物同士が重なったときに面同士が張り付き、そのままめっき加工が施されることで、重なった部分がめっき液中に露出しないためにめっきがつかないという現象が起こりやすく、こういった形状の物はバレルめっきには不向きであるとして、従来の方式においては避けられてきた。【０００４】  従って本発明の課題は、平板形状の薄板材を電気バレルめっき加工する際において、処理物同士の重なり及びはりつきによって、本来めっきされるべき部分にめっきがつかないという不良の発生を抑えることのできる、電気めっきバレル用のリード線を提供することである。
【課題を解決するための手段】
【０００５】  本発明は上記課題を解決するための手段として、リード線の陰極部側面に襞状の構造を有する。また通電性を維持するため、接点部先端には従来のリード線陰極と同様の構造を有することで接触面積を確保する。本発明は、以上の構成よりなる電気めっきバレル用リード線である。
【発明の効果】
【０００６】  ワッシャー等の、平板形状の薄板材である処理物に対してめっきを施す際に、めっき加工中のバレル内の動きによって、被処理物の重なり発生部分と、本発明の襞状構造の突起部分とが引っかかることで、重なりを引きはがす効果を持つ。【０００７】  一方で電気めっきには処理物とリード線先端接触部との接触面積が電気抵抗に影響を与えるため、側面全体が襞状の構造である場合には電気抵抗が大きくなり、処理物を減らし電気めっき処理をしなければならなくなる。そのため、接点部先端には電気抵抗を少なくするために、側面の襞状構造を持つ構造部よりも大きく、従来品と同様の構造を有し、これにより電気抵抗を抑える。【０００８】  これらの作用により、本発明はワッシャー等の重なりが起こりやすい処理物にバレルによる電気めっきを施す際、重なりの発生を抑えることで、従来品に比べ、重なりによるめっきの未着を防ぐことができる。
【発明を実施するための最良の形態】
【０００９】  電気バレルめっき方式によるめっき加工において、重なりの発生しやすい平板状の薄板材などの加工時にリード線として本発明を用いる。また本発明は重なりの発生しにくい、又は発生しない製品を加工する際においても使用が可能であるため、従来のリード線の代替としても利用が可能である。また、本発明は主にその形状に関するものであり、めっきの種類、処理物の材質、バレルの大きさ等の諸条件に関わらず、応用が可能である。
【図面の簡単な説明】
【００１０】
【図１】  本発明リード線の電極部斜視図
【図２】  本発明リード線の電極部側面図
【符号の説明】
【００１１】１  電極部
２  導電性維持のための構造
３  重なり防止のための襞状構造
【図１】
2010024541.tif 000003
【図２】
2010024541.tif 000004
(57)【要約】【課題】  バレル方式の電気めっきにおいて、バレル内部のリード線と処理物の位置関係によっては、リード線がねじれたり折れたりする。本発明の課題は、ねじれや折れに強い電気バレルめっき用のリード線を提供することである。【解決手段】  リード線の電線被覆部分に蛇腹状の構造を有することで、リード線に高い可とう性を持たせ、ねじれや折れに対する強度を高めることによって、リード線の長寿命化を実現する。【選択図】図１
2010024540.tif 000002
【特許請求の範囲】
【請求項１】
電線の被覆に蛇腹状の構造を有した、電気バレルめっき用リード線。
【発明の詳細な説明】
【技術分野】
【０００１】  本発明は、バレル方式による電気めっき処理に用いるリード線に関するものである。
【背景技術】
【０００２】  小型の被処理物に対し電気めっきを施す際には、被処理物をバレルに入れた状態で電解めっき液中に浸漬し、陽極をめっき液中に、陰極を被処理物に接触させて通電する。バレルは多孔板により構成された正多角柱であり、孔からめっき液がバレル内部に入る。めっき液中において陰極との接触のある被処理物の表面に対してめっきが施される。バレルは回転ないし揺動され、これにより内部の被処理物は攪拌される。これにより電極から通電のある被処理物は常に入れ替わり、被処理物全体に処理が施される。
【発明の開示】
【発明が解決しようとする課題】
【０００３】  バレルめっきという方法の性質上、バレル内部においてリード線と被処理物は、攪拌のため加工中たえず回転もしくは揺動にさらされている。攪拌中のリード線と被処理物との位置関係によってリード線には折れ、ねじれなどによる劣化が起こりやすい。特にねじれによる劣化は、回転式バレルにおいて顕著である。【０００４】  本発明の目的は、高い可撓性により、折れ又はねじれなどによる劣化を抑えることのできる電気めっき用リード線を提供することである。
【課題を解決するための手段】
【０００５】  本発明は、上記課題を解決するための手段として、リード線の電線部分の被覆として電気絶縁性を持つ蛇腹状の構造を有するバレルめっき用リード線である。
【発明の効果】
【０００６】  めっき処理の工程におけるバレルの動きにより、バレル内部の処理物とリード線はたえず攪拌されている。このときのリード線と被処理物の位置関係によっては、リード線従来はリード線にねじれ、折れなどが発生していた。本発明においてはリード線の被覆が蛇腹状の高い可撓性を持つ構造を有することで、リード線にかかる力を効果的に分散し、ねじれ、折れを防ぐことによって、リード線の長寿命化を実現する。
【発明の実施するための最良の形態】
【０００７】  電気バレルめっき方式によるめっき加工時に、リード線として本発明を使用する。本発明は回転式、揺動式の区別を問わず、まためっきの種類、処理物の材質、バレルの大きさ等の諸条件に関わらず、応用が可能である。
【図面の簡単な説明】
【０００８】
【図１】  本発明の側面図
【図２】  本発明の電線被覆の断面、側面図
【符号の説明】
【０００９】１  電極
２  ホース固定用かしめカラー
３  蛇腹状被覆
４  電極用ターミナル
５  コイル状芯線
６  被覆本体
【図１】
2010024540.tif 000003
【図２】
2010024540.tif 000004
(57)【要約】      （修正有）【課題】外壁内、床下、屋根裏の湿度をコントロールして建物の結露、腐れを防ぐ。【解決手段】枠組み工法を用い、外壁内は、屋外に面して間柱２３ａの厚みの約２分の１の厚さのフォーム断熱材をいれる。その反対側の空間に、外壁間柱２３ａ間の上下の横材１３，１３ａに穴を開け、床下より天井裏までの空間をつなげる。床下などに設置した空気乾燥機により、空気を循環させる。基礎コンクリートは、従来の風窓を無くし、土台との間にはクッションガスケットを敷き気密性を高める。【選択図】図１
2010024809.tif 000002
【特許請求の範囲】
【請求項１】
２×４工法において外壁、天井裏及び間仕切り壁の中に空気の通り道を作り床下などに配置した空気乾燥機により空気の循環させ、壁内の結露及び建物全体の腐敗を防止し長寿命住宅を実現する
【発明の詳細な説明】
【技術分野】
【０００１】    一般住宅建築工法
【発明の開示】
【発明が解決しようとする課題】    従来の枠組み壁工法は  断熱材の施工が非常にしやすく、又効果的であった。しかし、反面壁内の結露、その他、湿気による建物の腐れ、傷みが生じやすい。
【課題を解決するための手段】    間取りの設計を４８８ｍｍモジュールで行い床根太、間柱、垂木が縦直線上にならぶ。外壁間柱間の上下、横材に  穴を開け、床下より天井裏まで空間をつなげる。建物中心部にも、大きな穴を天井裏から中部壁の壁内を通す。
床下またはそれに変わる場所で強制的に作った乾燥空気を、換気扇により強制的に循環させる。基礎コンクリートには、従来の風窓はなくし機密性をたかめる。
【発明の効果】    外壁内、床下、屋根裏の湿度をコントロールして建物の腐れ、傷みがなくなる。
【発明を実施するための最良の形態】    間取りの設計を４８８ｍｍモジュールで行い、床根太（１６）、間柱（２３）２階床根太（１６ａ）２間柱（２３ａ）天井下地（２１）垂木（２０）がたて一直線状に並ぶ
基礎コンクリート（１９）には風窓をなくし、土台（１７）との間にはクッションガスケット（１８）を敷き機密性を高める。
外壁内は  外に面して間柱２３，２３ａの厚みの約２分の１のフォーム断熱材をいれる。その反対の空間に間柱間上下材、１３，１３Ａに間柱２５，２３Ａの厚みの約３分の１の穴を開け、床下より  壁内２階床根太内を通して天井までの空気流通口３を作る。屋根裏の断熱材（１１Ａ）は、  垂木（２０）と垂木（２０Ａ）の間にいれるが、外壁上横材に開けた穴から出る空気の流通を妨げてはならない。
天井裏に上がった乾燥空気は、建物建物中心部の壁より  間柱（２３，２３Ａ）の厚み約４分の３ぐらいの穴（１５Ａ）をいくつかあけ、床下まで通す。
穴（１５Ａ）は床下で換気扇（２２）につながり、強制循環する。
床下またはそれに変わるところには、空気乾燥機を設置し、空気中の湿度をコントロールする。
２階床根太（１６Ａ）間では、空気とリターン空気が交わらないよう、穴を独立させる。（乾燥機から出てきた空気と湿気を含んだ乾燥機に入る空気）産業上の利用可能性
特別な工事を必要としないため、建築コストが安価である。
外壁内側、床下、天井裏だけの空気循環なので、外気との接触がなく、かなり効果的である。
【図面の簡単な説明】
【図１】  断面図
【図２】  詳細図
【図１】
2010024809.tif 000003
【図２】
2010024809.tif 000004
(57)【要約】【課題】従来の密閉型スクロール圧縮機では歪による性能、信頼性の低下を防止するため、接続管の筒壁を内側から径方向外側に押圧して拡径することによって、接続管挿入孔の周壁面に圧接していたため、生産性が悪いものであった。本発明は、生産性を犠牲にすることなく、圧縮機構部の歪を抑制でき、性能低下防止・信頼性向上を確保した圧縮機を提供する。【解決手段】吸入接続管８１と接続管挿入孔１１の勘合部寸法を±０．０５ｍｍにすることによりスクロール圧縮機構部１の歪抑制・冷媒漏れを低下させ性能低下防止・信頼性向上を確保する密閉型圧縮機を構成することができる。【選択図】図１
2010024838.tif 000002
【特許請求の範囲】
【請求項１】
密閉容器内にスクロール型の圧縮室を有した圧縮機構と、この圧縮機構の下方に設けた圧縮機構を駆動するための電動機と、この電動機の回転力を圧縮機構部に伝達するためのクランク軸と、圧縮機構へ冷媒が流通する接続管挿入孔を設け、この接続管挿入孔に一端を圧入し、他端を前記密閉容器外部でロー付け密封する接続管と接続管挿入孔の勘合部寸法を±０．０５ｍｍにしたことを特徴とする密閉型圧縮機。
【発明の詳細な説明】
【技術分野】
【０００１】
本発明は冷凍空調分野等に使用される密閉型圧縮機に関するものである。
【背景技術】
【０００２】
密閉容器内にスクロール型の圧縮室を有した圧縮機構と、この圧縮機構の下方に設けた圧縮機構を駆動するための電動機と、この電動機の回転力を圧縮機構部に伝達するためのクランク軸と、圧縮機構へ冷媒が流通する接続管挿入孔を設け、この接続管挿入孔に一端を圧入し、他端を前記密閉容器外部でロー付け密封するため内側から径方向外側に押圧して拡径することによって接続管挿入孔の周壁面に圧接していた（例えば、特許文献１参照）。
【特許文献１】特開平１１−２０１０４１号公報
【発明の開示】
【発明が解決しようとする課題】
【０００３】
従来の技術では、接続管挿入孔に一端を圧入し、他端を前記密閉容器外部でロー付け密封するため内側から径方向外側に押圧して拡径することによってスクロール圧縮機構部を形成している部分に歪を発生させ性能低下・信頼性低下をさせる場合があるため、圧入せず接続管の筒壁を内側から径方向外側に押圧して拡径することによって、接続管挿入孔の周壁面に圧接していたため、工数がかかるという問題があった。
【課題を解決するための手段】
【０００４】
前記従来の課題を解決するために接続管挿入孔に一端を圧入し、他端を前記密閉容器外部でロー付け密封する接続管と接続管挿入孔の勘合部寸法が±０．０５ｍｍにすることにより、圧入代０．０５ｍｍ以下になりスクロール圧縮機構部の変形歪を低減しクリアランスも０．０５ｍｍ以下の隙間にすることにより漏れの影響も低下することが可能となり性能低下を防止しさらに信頼性向上を確保することが可能となる。
【発明の効果】
【０００５】
本発明の吸入機構部は密閉型スクロール圧縮機構部の歪を低減することにより性能低下の防止・信頼性を向上させることができる。
【発明を実施するための最良の形態】
【０００６】
請求項１記載の発明は、圧縮機構へ冷媒が流通する接続管挿入孔を設け、この接続管挿入孔に一端を圧入し、他端を前記密閉容器外部でロー付け密封する接続管と接続挿入孔の勘合部寸法を±０．０５ｍｍことにより、スクロール圧縮機構部の変形を抑制することにより、性能低下を防止し、信頼性を安価に向上させることができる。
【０００７】
（実施の形態１）
図１は密閉型圧縮機断面図である。吸入管８より密閉容器９内へ導かれたれた冷媒ガスはスクロール圧縮機構部１により圧縮され吐出される。また、前記スクロール圧縮機構部１には前記スクロール圧縮機構部１へ冷媒が流通する接続管挿入孔１１を設け、この接続管挿入孔１１に一端を圧入し、他端を前記密閉容器９外部でロー付け密封する接続管８１の寸法が前記接続管８１と前記接続管挿入孔１１の勘合部寸法を±０．０５ｍｍにした密閉型スクロール圧縮機を提供するものである。
【０００８】
かかる構成によれば接続管８１と接続管挿入孔の勘合部寸法を±０．０５ｍｍにすることにより圧入代が０．０５ｍｍ以下となりスクロール圧縮機構部１への変形歪を抑制させ
ることにより性能低下を防止し安価に信頼性を向上させることができ、また、クリアランスも０．０５ｍｍ以下にすることにより漏れの影響も低下し安価に性能低下を防止することが可能となる。
【産業上の利用可能性】
【０００９】
以上のように、本発明にかかる密閉型圧縮機は、従来の密閉型圧縮機に対して安価でかつ高性能・高信頼性の圧縮機を提供することができる。
【図面の簡単な説明】
【００１０】
【図１】本発明の実施例を示す密閉型圧縮機の断面図
【符号の説明】
【００１１】
１  スクロール圧縮機構部
１１  接続管挿入孔
２  電動機部
３  クランク軸
４  主軸受部
５  副軸受部
８  吸入管
８１  接続管
９  密閉容器
【図１】
2010024838.tif 000003
(57)【要約】【課題】近年特に農業では各種の軽量長尺杭の使用が多くなってきた、特に長尺杭をハンマーで打つ時各種の困難が多い、筒型杭打器は単一作業目的のみに作られている。【解決手段】長尺杭、短尺杭を楽な姿勢で打込む杭打器である、作業者の体形や体力に合わせた対応と、応用作業をする為に分割・組合せが自由に出来る装置を備えている、長尺杭用鋼板と短尺杭用鋼板をボルト５・ナット５１で組合せて本体を上下反転させて使用すると、長短両用杭打器となる、作業者が必要に応じて発想製作した道具も着脱装置を利用して取り替え、多目的作業に使用できる杭打ち器、杭の太さに於いても自由に組み合わせる事が出来る。【特許請求の範囲】
【請求項１】
鋼管の上端に鋼板を溶接すると共に鋼管の左右に把持棒を取付け杭頭を鋼管に差し込み把持棒を握って打撃するものであって前記把持棒は鋼管の下端より所定延長した事を特徴とする杭打器。
【請求項２】
短鋼管の一端に鋼板を溶接した短尺管の鋼板と請求項１の鋼板と着脱自在に取り付けて短尺杭打器となる事を特長とする杭打器
【請求項３】
前記短尺杭打器に植穴掘削用具他、等農業用や園芸用に使用する用具を着脱自在に取り付けられる事を特徴とする請求項２に記載する杭打器。
【発明の詳細な説明】
【技術分野】
【０００１】作業者が鋼管の中へ杭を入れて手動で上下に打ち下ろす杭打器に関する。
【背景技術】
【０００２】従来の手動杭打器は、ハンマー式のものや管式のものが知られている。
【発明の開示】
【発明が解決しようとする課題】
【０００３】従来のハンマー式手動杭打器は、杭を打つ時に杭頭から外れる時があり、不安全である。また、従来の管型手動杭打器は、その器具の作業対象範囲が限定されており、利用価値が小さい。
【課題を解決するための手段】
【０００４】杭頭が入る口径の鋼管の一端を鋼板蓋で閉じ、鋼管の外側に把持棒を取付ける。把持棒を両手で持ち、手動で上下させて杭を打つ。
【発明の効果】
【０００５】本考案に係る杭打器は打撃操作を鋼管内部で行うため、ハンマー式手動杭打器のように杭頭が外れる危険性が無い。本考案に係る杭打器を用いると作業者の身長よりも高い杭が一人で打つことが出来る。
また、本考案に係る杭打器は、上下反転して用いることが出来、短杭を短管の長さまで腰を曲げずに打つことが出来るため、腰部に負担がかからない。
さらに、本考案に係る杭打器に応用作業器具を着脱自在に取付けることで、土木用、農業用、園芸用等多目的に用いることが可能である。
【発明を実施するための最良の形態】
【０００６】把持棒を取付けた鋼管を手動で上下させ得るストロークを鋼管の長さと定めて、鋼管の一端を鋼板で閉じる。鋼管の外側に手で握りやすい太さの把持棒を２本固着することで、長尺用杭打器となる。【０００７】本考案の杭打器の頭部に短鋼管を着脱自在な装置で取付け、杭打器全体を上下反転して使用すると短尺用杭打器となる。【０００８】本考案の杭打器の頭部に応用作業器具を着脱自在な装置で取付け、杭打器全体を上下反転して使用することで、土木用農業用園芸用等多目的に用いることが出来る。
【実施例】
【０００９】本考案の杭打器は、杭の長短、作業者の体力、作業内容に応じて、図１に示すボルト５ナット５１、ボルト７ナット７１を用いて、杭打器の重量調節及び応用作業器具の着脱が出来る。【００１０】把持棒２を中間部で「く」の字状に外開きに曲げることで、打撃時に作業者の持ち手に与える衝撃を軽減させる効果を生ぜしめる。【００１１】図４に示す短尺杭１０は、短鋼管４の長さまで打込むことが出来る。【００１２】図５に示す応用作業例１は、搗固め用具４２を短鋼管の内径に合わせて製作し、ボルト７ナット７１を用いて着脱する。【００１３】図６に示す応用作業例２は、植穴掘削用具４３を種芋、野菜等の植穴に適合するよう製作し、ボルト５ナット５１を用いて着脱する。
【図面の簡単な説明】
【００１４】
【図１】本考案に係る多目的杭打器の断面図である。
【図２】長尺杭打器の上面図である。
【図３】短鋼管の上面図である。
【図４】短尺杭を打込む時の断面図である。
【図５】搗固め用具を装着した状態の断面図である。
【図６】植穴掘削用具を装着した状態の断面図である。
【符号の説明】
【００１５】  １    長尺杭用鋼管
２    把持棒
３    鋼板蓋
４    短鋼管
５    ボルト
５１  ナット
５２  固定用穴
５３  鋼板
７    ボルト
７１  ナット
１０  短尺杭
４２  搗固め用具
４３  植穴掘削用具
【図１】
2010024817.tif 000002
【図２】
2010024817.tif 000003
【図３】
2010024817.tif 000004
【図４】
2010024817.tif 000005
【図５】
2010024817.tif 000006
【図６】
2010024817.tif 000007
(57)【要約】【課題】  本発明は、熊手の先端部分にバケットを取り付け、落ち葉、刈り取った草等を熊手で集め、集まった時点で柄の後方に取り付けたハンドルを握ることによってバケットが回動し、落ち葉、草等を押さえ、処理することができる熊手用バケットを提供する。【解決手段】  上部ベース板（２）に、バケット駆動アーム（４）、摺動レバー（５）、駆動ワイヤー（６）、駆動アーム（１０）、バケット開スプリング（１４）を取り付け、上部ベース板（２）とバケット取付板（１３）を熊手固定ネジ（８）で熊手を挟み込む状態でセットし、駆動ワイヤー（６）、駆動アームリターンスプリング（１２）を介して柄の後方に取り付けた駆動ハンドル（７）でバケットの開閉を行う構造で、バケット（３）に、バケット駆動アーム（４）を取り付け、バケット（３）の一方に、バケット取付板（１３）、バケット開スプリング（１４）を取り付け、カバー（１）を取り付けたことを特徴とする熊手用バケット。【選択図】図１
2010024816.tif 000002
【特許請求の範囲】
【請求項１】
（イ）上部ベース板（２）に、バケット駆動アーム（４）、摺動レバー（５）、駆動ワイヤー（６）、駆動アーム（１０）、バケット開スプリング（１４）を取り付ける。
（ロ）上部ベース板（２）とバケット取付板（１３）を熊手固定ネジ（８）で熊手を挟み込む状態でセットし、駆動ワイヤー（６）、駆動アームリターンスプリング（１２）を介して柄の後方に取り付けた駆動ハンドル（７）でバケットの開閉を行う構造である。
（ハ）バケット（３）に、バケット駆動アーム（４）を取り付け、バケット（３）の一方に、バケット取付板（１３）、バケット開スプリング（１４）を取り付け、カバー（１）を取り付ける。
本発明は以上のように構成された熊手用バケット。
【発明の詳細な説明】
【技術分野】
【０００１】  本発明は、熊手の先端部分にバケットを取り付け、落ち葉、刈り取った草等を熊手で集め、集まった時点で柄の後方に取り付けたハンドルを握ることによってバケットが回動し、落ち葉、草等を押さえ、処理することができる熊手用バケットに関するものである。
【背景技術】
【０００２】  従来は、熊手で集めた、刈り取った草、落ち葉は、箒を使って、ちり取りに入れるか、または、手を使って処理していた。
【発明の開示】
【発明が解決しようとする課題】
【０００３】  そのために、次のような問題点があった。
狭い所、小さい木の下など、落ち葉をかき出すのに不便な所、芝を刈り取った後などで手を使いたくない場合、バケットで押さえて処理できる利点がある。
【問題を解決するための手段】
【０００４】（イ）上部ベース板（２）に、バケット駆動アーム（４）、摺動レバー（５）、駆動ワイヤー（６）、駆動アーム（１０）、バケット開スプリング（１４）を取り付ける。
（ロ）上部ベース板（２）とバケット取付板（１３）を熊手固定ネジ（８）で熊手を挟み込む状態でセットし、駆動ワイヤー（６）、駆動アームリターンスプリング（１２）を介して柄の後方に取り付けた駆動ハンドル（７）でバケットの開閉を行う構造である。
（ハ）バケット（３）に、バケット駆動アーム（４）を取り付け、バケット（３）の一方に、バケット取付板（１３）、バケット開スプリング（１４）を取り付け、カバー（１）を取り付ける。
本発明は以上のように構成された熊手用バケットである。
【発明の効果】
【０００５】    広い所までかき出せない場合等に、その場で、バケットで押さえ、手を使わずにゴミ袋等に入れられるので衛生的でもあり、体の負担も軽減できる。
【発明を実施するための最良の形態】
【０００６】  以下、本発明の実施の形態を説明する。
（イ）上部ベース板（２）に、バケット駆動アーム（４）、摺動レバー（５）、駆動ワイヤー（６）、駆動アーム（１０）、バケット開スプリング（１４）を取り付ける。
（ロ）上部ベース板（２）とバケット取付板（１３）を熊手固定ネジ（８）で熊手を挟み込む状態でセットし、駆動ワイヤー（６）、駆動アームリターンスプリング（１２）を介して柄の後方に取り付けた駆動ハンドル（７）でバケットの開閉を行う構造である。
（ハ）バケット（３）に、バケット駆動アーム（４）を取り付け、バケット（３）の一方に、バケット取付板（１３）、バケット開スプリング（１４）を取り付け、カバー（１）を取り付ける。
本発明は以上のような構造である。
本発明を使用するときは、上部ベース板（２）とバケット取付板（１３）を熊手固定ネジ（８）で熊手を挟み込む状態でセットし、駆動ワイヤー（６）を介して柄の後方に取り付けた駆動ハンドル（７）でバケットの開閉を行う。
熊手でかき集められた落ち葉等を柄の後方に取り付けられた駆動ハンドル（７）を握ることによって駆動ワイヤー（６）を介して駆動アーム（１０）が後方に引っ張られ摺動アーム（５）が摺動アーム支点（１１）によって回動し、バケット駆動アーム（４）を摺動しながらバケット（３）を回動させ落ち葉等を押さえ込む。
バケット（３）で押さえられた落ち葉等を捨てるときは、駆動ハンドル（７）を放すことによって、バケット開スプリング（１４）と駆動リターンスプリング（１２）の力で（ロ）の逆動作でバケット（３）が開く。【０００７】  本発明の第２の実態の形態を説明する。
第１の発明と動作は同じであるが、駆動の方法をパンタグラフ方式にしたものである。
第１の発明のバケットの部分を丸棒にしたものである。
【図面の簡単な説明】
【０００８】
【図１】  本発明の第１の全体の斜視図である。
【図２】  本発明の第１のバケットが閉の状態の斜視図である。
【図３】  本発明の第１のカバーを外した状態の斜視図である。
【図４】  本発明の第１の上部ベース板を外した状態の斜視図である。
【図５】  本発明の第１のバケット取付板の斜視図である。
【図６】  本発明のバケット開スプリング部の拡大斜視図である。
【図７】  本発明の第２の駆動部分をパンタグラフ式にした斜視図である。
【図８】  本発明の第２のバケットを丸棒にした斜視図である。
【符合の説明】
【０００９】      １    カバー
２    上部ベース板
３    バケット
４    バケット駆動アーム
５    摺動レバー
６    駆動ワイヤー
７    駆動ハンドル
８    熊手固定ネジ
９    バケット軸
１０  駆動アーム
１１  摺動レバー支点
１２  駆動アームリターンスプリング
１３  バケット取付板
１４  バケット開スプリング
１５  パンタグラフ
【図１】
2010024816.tif 000003
【図２】
2010024816.tif 000004
【図３】
2010024816.tif 000005
【図４】
2010024816.tif 000006
【図５】
2010024816.tif 000007
【図６】
2010024816.tif 000008
【図７】
2010024816.tif 000009
【図８】
2010024816.tif 000010
(57)【要約】【課題】従来の木造建築には地震の揺れに弱いという問題があった。此れは地面の揺れが縦柱と増幅されて横柱えと伝わり、屋根の重みが加わり倒壊させる危険が大きかった。【解決手段】  先ず地面と縦柱を固定せず、地面の揺れを少なく伝わる様にして、床下と天井上に斜め対角の縦柱を結ぶ水平柱を固定、する事に依り縦柱に伝つた揺れは相殺されて建物の倒壊を防止することができる。【選択図】図１
2010024814.tif 000002
【特許請求の範囲】
【請求項１】
木造建築に於いて床下、天井上に水平、斜対角に柱を設けた建築の方法。
【発明の詳細な説明】
【技術分野】
【０００１】    本発明は、木造建築物の耐震強度に関する。
【背景技術】
【０００２】    従来の木造建築では耐震強度が弱く、巨大地震発生時には、家屋の倒壊が多く発生、多くの方々が亡くなられ、又多くの負傷者が出ました、
このような危険を無くして安心して暮らせることを目的として開発されました。【０００３】    以下、図１、図２、図３、図４、により従来の木造建築について説明する。
図において、１，２，３，４、は建物の高さを決める縦柱、５，６，７，８、は縦柱をつなぐ横柱、の上に屋根が形成されていた。
【発明の開示】
【発明が解決しようとする課題】
【０００４】  以上に述べた従来の建築方法では耐震強度が低く、大地震発生の時は必ずと云っいいほど、和風家屋が倒壊多くの犠牲者を出していた。【０００５】  本発明は、このような従来の構成が有していた、問題を解決しようとするものであり、地震による、倒壊を無くし、安心な生活の実現を目的とするものである。
【課題を解決するための手段】
【０００６】    そして、本発明は上記目的を達成するため、床下、天井上に水平、で斜め対角の縦柱を結ぶ張りを入れる事により、耐震性を発揮、建物を倒壊から守ってくれる物だと確信いたします。【０００７】  又第２の課題解決手段は、地面と建物の縁を切り、摺動が可能な様に配慮した物である。【０００８】    上記第一の課題解決手段による作用は次の通りである。地表の揺れを床下、天井うえに設けられた水平、斜対角に設けられた柱によりバラバラになる事無く、家屋の倒壊を防ぐ事ができる。【０００９】    又第二の課題解決による作用は、地面と建物の縁を切ることにより、地震の力がそのまま伝わるのではなく、さらにその効果を発揮する。
【発明の効果】
【００１０】    上述したように本発明の木造建築物は居住者に安心して生活できる家屋を提供できる。【００１１】    以下、本発明の実施の形態を図１、図２、図３、図４に基いて説明する。【００１２】    図において、１，２．３．４、は縦柱、５，６，７，８は横柱、９，１０，１１，１２、は１から３、２から４に結ばれたている。【００１３】    以下、上記構成を説明する、縦柱１に加わった揺れは、水平に設けられた１０がないと横柱５を伝わり大きく揺れると家屋を倒す力となり、倒壊させる事に繋がる。
水平、斜対角に張られた１０、１１により相殺され、倒壊を防ぐ事ができる。【００１４】    また、縦柱１，２，３，４、と地面を固定せず、摺動により伝わる力を相殺できる、。
【図面の簡単な説明】
【００１５】
【図１】    本発明の実施形態を示す木造建築の骨組の平面図
【図２】    同木造建築の床下から見た平面図
【図３】    同正面図
【図４】    同側面図
【符号の説明】
【００１６】１、は縦柱ａ  ２、は縦柱ｂ  ３，は縦柱ｃ  ４、は縦柱ｄ  ５，は横柱ａ  ６，は横柱ｂ  ７は横柱ｃ  ８，は横柱ｄ  ９，水平斜柱ａ  １０，は水平斜柱ｂ  １１，は水平斜柱ｃ  １２，水平斜柱ｄ  １３，は横柱ｅ  １４，は横柱ｆ  １５，は横柱ｊ  １６，は横柱ｈ
【図１】
2010024814.tif 000003
【図２】
2010024814.tif 000004
【図３】
2010024814.tif 000005
【図４】
2010024814.tif 000006
(57)【要約】【課題】  打設コンクリートに埋まっているボイド管を剥離撤去しやすくするために、ボイド管を切りこんでいく、ボイド管切り込み具を提供する。【解決手段】  先端が尖った棒状の軸の前部に着脱可能なカッターの刃と、このカッターの刃を収める刃受け部を設け、後部にグリップを設ける。  打設コンクリートに埋まっているボイド管の上部にカッターの刃をあて、グリップ後部をハンマーで叩くことにより、ボイド管を切りこんでいくことを特徴とするボイド管切り込み具。【選択図】図１
2010024813.tif 000002
【特許請求の範囲】
【請求項１】
先端が尖った棒状の軸の前部にカッターの刃と、このカッターの刃を収める刃受け部を設け、後部にグリップを設け、打設コンクリートに埋まっているボイド管の上部にカッターの刃をあて、グリップ後部をハンマーで叩くことにより、ボイド管を切りこんでいくことを特徴とするボイド管切り込み具。
【発明の詳細な説明】
【技術分野】
【０００１】  本発明は、打設コンクリートに埋まっているボイド管を剥離撤去しやすくするために、ボイド管を切りこんでいくボイド管切り込み具に関するものである。
【背景技術】
【０００２】  従来、ボイド管を撤去するときは、バール等をコンクリートとボイド管の間をにこじ入れて、力まかせに抜いていた。
なお、ボイド抜きを目的とした、フォーク状の棒で巻き取って引き抜く発明が知られている。
【特許文献１】実用新案公開平６−３０３４５号公報
【発明の開示】
【発明が解決しようとする課題】
【０００３】  そのために、次のような問題点があった。
（イ）ボイド管はコンクリートに張り付いているために、ボイド管とコンクリートの間にバールをこじ入れても容易には剥がれず、力が必要であった。
（ロ）ボイド管開口部上に設備管などの障害物があると、ボイド管を抜くとき邪魔となって引き抜けなかった。
本発明は、以上の問題点を解決するためになされたものである。
【課題を解決するための構造】
【０００４】  先端が尖った棒状の軸の前部に着脱可能なカッターの刃と、このカッターの刃を収める刃受け部を設け、後部にグリップを設ける。
打設コンクリートに埋まっているボイド管の上部にカッターの刃をあて、グリップ後部をハンマーで叩くことにより、ボイド管を切りこんでいくことを特徴とするボイド管切り込み具である。
【発明の効果】
【０００５】  本発明は、コンクリートに埋まっているボイド管が抜きやすくなるまで、ボイド管に何本もの切り込みを入れることができる。したがってボイド管の開口部上に障害物があっても、細断することで障害物をよけて抜くことができる。
また、ボイド管を細断することにより、力まかせに抜いていた苦労をなくし、スムーズに誰でも抜くことができる。
【発明を実施するための最良の形態】
【０００６】  以下、本発明の実施の形態を説明する。
（イ）先端（１）が尖っている棒状の軸（２）の後部に、グリップ（３）を設ける。
（ロ）軸（２）の先端（１）の後方にカッターの刃（４）を装着する刃受け部（５）を設ける。
（ハ）刃受け部（５）は基盤（９）肩部に固定軸（１０）を設け、固定軸（１０）は軸（２）に溶着又はネジ止めにより固定される。
（ニ）基盤（９）の内側にカッターの刃（４）を収容するための凹状の収納部（１１）を設ける。
（ホ）基盤（９）の片側にコの字状の開口部（６）を設ける。開口部（６）以外にカッターの刃（４）は収納部（１１）に収まることになる。
（ヘ）基盤（９）の上部にカッターの刃（４）を固定させるためネジ（７）を設ける。ネジ（７）を設けることでカッターの刃（４）は着脱可能となる。
（ト）収納部（１１）の開口部（６）へカッターの刃（４）が向くように収める。
本発明は以上の構成で、これを使用する時は、ボイド管淵（１２）にカッターの刃（４）をあてる。軸の先端（１）はボイド管とコンクリートの境（１３）にあてる。
ハンマー（１４）でグリップ（３）の後端（８）を叩いていく。カッターの刃（４）がボイド管（１５）を切っていき、先端（１）はボイド管とコンクリートの境（１３）へ挿入されていく。ボイド管（１５）が完全に切れるまで叩いていく。
ボイド管（１５）が抜けやすくなるまで、必要に応じて何本でも切り込んでいく。
【図面の簡単な説明】
【０００７】
【図１】本発明の斜視図
【図２】本発明の分解斜視図
【図３】本発明の刃受け部の側面図
【図４】本発明の刃受け部の断面図
【図５】本発明の使用状態を示す側面図
【図６】本発明の使用状態を示す斜視図
【符号の説明】
【０００８】  １  先端
２  軸
３  グリップ
４  カッターの刃
５  刃受け部
６  開口部
７  ネジ
８  後端
９  基盤
１０  固定軸
１１  収納部
１２  ボイド管淵
１３  ボイド管とコンクリートの境
１４  ハンマー
１５  ボイド管
１６  コンクリート
【図１】
2010024813.tif 000003
【図２】
2010024813.tif 000004
【図３】
2010024813.tif 000005
【図４】
2010024813.tif 000006
【図５】
2010024813.tif 000007
【図６】
2010024813.tif 000008